(57)【要約】【課題】袋容器と組み合わせて用いられ、外周面に残った水が、係止部の隙間から内周面に回り込まないようにして、汚れが生じるのを効果的に抑制できる袋容器ホルダーを提供する。【解決手段】袋容器２０を装着して用いる袋容器ホルダー１０であって、載置部１１と、立設部１２と、袋容器２０の袋側係止部２３が係止されるＵ字状切欠き部１４を備える張出し係止部１３とを含んで構成される。張出し係止部１３には、Ｕ字状切欠き部１４の周縁部に沿って、張出し係止部１３の上面よりも上方に突出すると共に張出し係止部１３の下面よりも下方に突出する、上下面段差リブ１８が設けられており、上下面段差リブ１８は、これの内側面が、当該上下面段差リブ１８の上端部から下端部に亘って上下方向に滑らかに連続する、載置部１１が載置される載置面に対して垂直又は略垂直な、垂直平滑面となっている。【選択図】図２
2018047927.tif 000002
【特許請求の範囲】
【請求項１】
袋側係止部が設けられた袋容器と組み合わせて用いる袋容器ホルダーであって、
載置面に載置される載置部と、該載置部の周縁部から縦方向に立設して設けられた立設部と、該立設部の上端部から前記載置部の直上部分に横方向に張り出して設けられた、前記袋容器の前記袋側係止部が係止されるＵ字状切欠き部を備える張出し係止部とを含んで構成されており、
前記張出し係止部には、前記Ｕ字状切欠き部の周縁部に沿って、前記張出し係止部の上面よりも上方に突出すると共に前記張出し係止部の下面よりも下方に突出する、上下面段差リブが設けられており、該上下面段差リブは、これの内側面が、当該上下面段差リブの上端部から下端部に亘って上下方向に滑らかに連続する、前記載置面に対して垂直又は略垂直な垂直平滑面となっている袋容器ホルダー。
【請求項２】
前記上下面段差リブは、前記Ｕ字状切欠き部における、少なくとも前記袋容器の前記袋側係止部が設けられた部分が押し込まれて収容される奥部収容部の周縁部に沿って、連続して設けられている請求項１記載の袋容器ホルダー。
【請求項３】
前記上下面段差リブの内側面から内側に突出して、前記袋側係止部が設けられた部分を乗り越えさせることにより前記袋側係止部が設けられた部分が前記奥部収容部に収容された状態を保持する、乗越え凸部が設けられている請求項２記載の袋容器ホルダー。
【請求項４】
前記上下面段差リブの前記奥部収容部とは反対側の端部に、前記張出し係止部の上面又は下面に向けて斜めに傾斜するスロープ部が設けられている請求項２又は３記載の袋容器ホルダー。
【請求項５】
前記上下面段差リブは、矩形状の断面形状を有している請求項１〜４のいずれか１項記載の袋容器ホルダー。
【請求項６】
前記載置部における、着脱空間部側の部分を除いた３方の周縁部から立設して、前記立設部が設けられている請求項１〜５のいずれか１項記載の袋容器ホルダー。
【請求項７】
前記袋側係止部は、前記袋容器の上端部に取り付けられた、注出口部材の注出口部に設けられている請求項１〜６のいずれか１項記載の袋容器ホルダー。
【請求項８】
前記袋容器の袋本体は、天面シートを含んで形成されており、前記注出口部材は、前記天面シートによる天面部に取り付けられている請求項７記載の袋容器ホルダー。
【発明の詳細な説明】
【技術分野】
【０００１】
本発明は、袋容器ホルダーに関し、特に、袋側係止部が設けられた袋容器と組み合わせて用いる袋容器ホルダーに関する。
【背景技術】
【０００２】
例えばシャンプー液、リンス液、化粧液、薬液等の内容液を収容すると共に、好ましくは収容された内容液を吐出させる、ポンプディスペンサー等の吐出具を取り付けて使用される容器として、容器本体がプラスチック製やガラス製等の硬質の容器からなるものに代えて、樹脂製のシート材料を用いて形成された、袋状の容器本体（袋本体）を備える袋容器が知られている（例えば、特許文献１、特許文献２参照）、
【０００３】
袋容器の場合、袋本体は、軟質の柔らかいシート材料を用いて形成されており、例えばポンプディスペンサーを操作する際の押し下げ力を、袋本体によって支持させることができないことから、袋容器を、底板部と、底板部から立設して設けられた立設部と、立設部の上端部から張り出して設けられた張出し係止部とを備える容器ホルダーに装着して、この容器ホルダーによって押し下げ力を支持させるようにしたディスペンサーが開示されている（例えば、特許文献１参照）。また、ディスペンサーを備えていない袋容器においても、底板部と、立設部と、係止部とを備える容器ホルダーに装着して用いることで、軟質の柔らかい袋容器を、容器ホルダーを介して把持させることによって、袋容器の注出口から内容液を安定した状態で吐出できるようにした組立体も開示されている（例えば、特許文献２参照）。
【先行技術文献】
【特許文献】
【０００４】
【特許文献１】実用新案登録第３０６６８３１号公報
【特許文献２】特開２００４−６７１８３号公報
【発明の概要】
【発明が解決しようとする課題】
【０００５】
袋容器と組み合わせて用いる袋容器ホルダーは、浴室等の水回り領域で使用されることが多いことから、付着した水によって汚れないように、できるだけ配慮する必要がある。特に、容器ホルダーを構成する立設部が、載置面に載置される底板部等による載置部における、袋容器の着脱空間部となる部分を除いた周縁部から立設して、壁板状に設けられている場合には、袋容器ホルダーの内周面に回り込んだ水を拭き取ることが難しくなることから、内周面に付着した水によって、汚れを生じ易くなる。このため、袋容器ホルダーの内側にできるだけ水が回り込まないようにすることが望まれている。
【０００６】
本発明は、袋容器と組み合わせて用いられて、外周面に注がれて残った水が、袋容器の袋側係止部が係止される係止部の隙間から内周面に回り込まないようにして、内周面に汚れが生じるのを効果的に抑制することのできる袋容器ホルダーを提供することを目的とする。
【課題を解決するための手段】
【０００７】
本発明は、袋側係止部が設けられた袋容器と組み合わせて用いる袋容器ホルダーであって、載置面に載置される載置部と、該載置部の周縁部から縦方向に立設して設けられた立設部と、該立設部の上端部から前記載置部の直上部分に横方向に張り出して設けられた、前記袋容器の前記袋側係止部が係止されるＵ字状切欠き部を備える張出し係止部とを含んで構成されており、前記張出し係止部には、前記Ｕ字状切欠き部の周縁部に沿って、前記張出し係止部の上面よりも上方に突出すると共に前記張出し係止部の下面よりも下方に突出する、上下面段差リブが設けられており、該上下面段差リブは、これの内側面が、当該上下面段差リブの上端部から下端部に亘って上下方向に滑らかに連続する、前記載置面に対して垂直又は略垂直な垂直平滑面となっている袋容器ホルダーを提供することにより、上記目的を達成したものである。
【発明の効果】
【０００８】
本発明の袋容器ホルダーによれば、袋容器と組み合わせて用いられて、外周面に注がれて残った水が、袋容器の袋側係止部が係止される係止部の隙間から内周面に回り込まないようにして、内周面に汚れが生じるのを効果的に抑制することができる。
【図面の簡単な説明】
【０００９】
【図１】本発明の好ましい一実施形態に係る袋容器ホルダーに、袋容器を装着した状態の斜視図である。
【図２】本発明の好ましい一実施形態に係る袋容器ホルダーの斜視図である。
【図３】（ａ）は、袋容器ホルダーの張出し係止部の部分を斜め上方から見た斜視図、（ｂ）は斜め下方から見た斜視図である。
【図４】図３（ａ）のＡ−Ａに沿った拡大断面図である。
【図５】（ａ）、（ｂ）は、袋容器を袋容器ホルダーに装着する操作を説明する斜視図である。
【図６】（ａ）は、袋容器の袋側係止部を張出し係止部のＵ字状切欠き部に係止部した状態を、ポンプディスペンサーを除いて示す要部側面図、（ｂ）は（ａ）のＢ−Ｂに沿った断面図である。
【図７】上下面段差リブによって内周面に水が回り込まないようにする状況を説明する、図６（ｂ）のＣ部拡大断面図である。
【図８】上下面段差リブの他の形態を例示する拡大断面図である。
【発明を実施するための形態】
【００１０】
図１及び図２に示す本発明の好ましい一実施形態に係る袋容器ホルダー１０は、袋容器２０として、例えば内容液を収容する袋本体２１の上端部に、ポンプディスペンサー３０が吐出具として取り付けられたポンプディスペンサー付きの袋容器を、一体として装着させた状態で用いられる。本実施形態の袋容器ホルダー１０は、袋容器２０のポンプディスペンサー３０の押圧操作部であるノズルヘッド３３を押し下げて、内容液を吐出させる際の、押し下げ力を支持するための支持部材として用いられる。また、本実施形態の袋容器ホルダー１０は、例えば浴室等の水回り領域で使用された際に、外周面に注がれて残った水が、袋容器２０の袋側係止部２３が係止される張出し係止部１３のＵ字状切欠き部１４に生じた隙間から、内周面に回り込まないようにして、内周面に汚れが生じるのを効果的に抑制できるようにする機能を備えている（図６参照）。
【００１１】
そして、本実施形態の袋容器ホルダー１０は、袋側係止部２３が設けられた袋容器２０と組み合わせて用いる袋容器用のホルダーであって、図１及び図２に示すように、載置面に載置される載置部１１と、載置部１１の周縁部から縦方向に立設して設けられた立設部１２と、立設部１２の上端部から載置部１１の直上部分に横方向に張り出して設けられた、袋容器２０の袋側係止部２３が係止されるＵ字状切欠き部１４を備える張出し係止部１３とを含んで構成されている。張出し係止部１３には、図３（ａ）、（ｂ）及び図４に示すように、Ｕ字状切欠き部１４の周縁部に沿って、張出し係止部１３の上面よりも上方に突出すると共に張出し係止部１３の下面よりも下方に突出する、上下面段差リブ１８が設けられており、上下面段差リブ１８は、これの内側面が、当該上下面段差リブ１８の上端部から下端部に亘って上下方向に滑らかに連続する、載置部１１（図１参照）が載置される載置面に対して垂直又は略垂直な、垂直平滑面となっている。
【００１２】
また、本実施形態では、好ましくは袋側係止部２３は、袋容器２０の上端部に取り付けられた、注出口部材２２の注出口部２２ａに設けられている。
【００１３】
さらに、本実施形態では、上下面段差リブ１８は、Ｕ字状切欠き部１４における、少なくとも注出口部材２２の注出口部２２ａ（袋容器２０の袋側係止部２３が設けられた部分）が押し込まれて収容される奥部収容部１４ａの周縁部に沿って、連続して設けられている。
【００１４】
さらにまた、本実施形態では、載置部１１における、袋容器２０を着脱させる着脱空間部１５側の部分を除いた３方の周縁部から壁板状に立設して、立設部が設けられている（図１、図２参照）。
【００１５】
本実施形態では、袋容器ホルダー１０は、例えばＰＰ（ポリプロピレン）、ＡＢＳ（アクリロニトリル・ブタジエン・スチレン共重合合成樹脂）、アクリル、ポリエステル、ＰＣＴ（ポリシクロへキシレン・ジメチレン・テレフタレート）、ＳＡＮ（スチレンアクリロニトリルコポリマー）等の合成樹脂からなる射出成形品であって、好ましくは袋容器２０の下端部から注出口部材２２の袋側係止部２３（上方の環状係止ツバ部２３ａの下面）までの高さと同様の高さを有する、中空の縦長形状を備えている。袋容器ホルダー１０は、本実施形態では、載置部１１と、立設部１２と、張出し係止部１３に加えて、着脱空間部１５の下端部分に設けられた下端部邪魔板部１６を含んで構成されている。
【００１６】
載置部１１は、本実施形態では、立設部１２の下端部と下端部邪魔板部１６の下端部とが、例えば半トラック円形状の枠状に連続していることで、環状の脚部として設けられており、開口面１１ａとなっている当該載置部１１の内側部分による底面の、開口周縁部を構成している。本実施形態では、載置部１１を形成している立設部１２の下端部及び下端部邪魔板部１６の下端部から上方に一体として連続して、当該立設部１２及び当該下端部邪魔板部１６が延設して設けられている。
【００１７】
なお、載置部１１は、枠状に連続させた環状の脚部によって形成されている必要は必ずしもなく、載置面に対して面状に接触して載置される、板状の載置部として形成することもできる。
【００１８】
立設部１２は、載置部１１と張出し係止部１３との間に介在して、張出し係止部１３を支持する、半トラック円形状の横断面形状を有する壁板状の部分となっている。立設部１２は、半トラック円形状の載置部１１の円弧状部分から立設する、湾曲立設部１２ａと、湾曲立設部１２ａを挟んでこれの両側に配置された、一対の側部立設部１２ｂとを含んで形成されている。湾曲立設部１２ａと一対の側部立設部１２ｂとは、周面を滑らかに一体として連続させて設けられている。側部立設部１２ｂは、湾曲立設部１２ａとは反対側の側辺部が、湾曲立設部１２ａ側に凹状に湾曲する湾曲辺部１２ｃとなっている。これによって、張出し係止部１３の下方領域における、Ｕ字状切欠き部１４の開放部１４ｂ側の部分に設けられた着脱空間部１５を、袋容器２０を着脱させ易い空間として設けることが可能になる。
【００１９】
張出し係止部１３は、立設部１２の湾曲立設部１２ａ及び一対の側部立設部１２ｂの上端部から一体として連続して、載置部１１の直上部分に横方向に張り出して設けられた部分となっており、載置部１１の形状に対応する、半トラック円形状の平面形状を備えている。張出し係止部１３には、半トラック円形状の平面形状における、弧状湾曲部とは反対側の直線状部の中央部分が、弧状湾曲部側にＵ字形状に切り欠かれていることによって、Ｕ字状切欠き部１４が形成されている。Ｕ字状切欠き部１４には、後述する袋容器２０の袋本体２１の天面部２４に取り付けられた注出口部材２２に設けられた、袋側係止部２３が係止される。
【００２０】
下端部邪魔板部１６は、湾曲立設部１２ａとは反対側の部分において、一対の側部立設部１２ｂの間の領域の下端部分に、載置部１１の周縁部から立設して設けられている。下端部邪魔板部１６は、袋容器ホルダー１０に装着される袋容器２０の下端部分の高さと同様の高さとして、例えば袋容器ホルダー１０の全体の高さの１／５〜１／１０程度の高さを備えるように設けられている。下端部邪魔板部１６は、一対の側部立設部１２ｂと、周面を滑らかに連続させて設けられていると共に、上端縁部が、下方に向けて凹状に湾曲する上端湾曲辺部１６ａとなっている。上端湾曲辺部１６ａは、これらの両側の端部において、側部立設部１２ｂの湾曲辺部１２ｃの下端部と滑らかに連続している。
【００２１】
下端部邪魔板部１６の裏面側には、当該下端部邪魔板部１６と、湾曲立設部１２ａの下端部分及び一対の側部立設部１２ｂの下端部分とによって４方を囲まれて、袋容器２０の下端部２０ａを装着させる下端部装着部１７が形成されている。上述のように、下端部邪魔板部１６の上端縁部が、下方に向けて凹状に湾曲する上端湾曲辺部１６ａとなっていることにより、袋容器ホルダー１０に袋容器２０を装着する際に、袋容器２０の下端部２０ａを、下端部装着部１７に、先行して装着させるように誘導させ易くなると共に、下端部装着部１７に袋容器２０の下端部２０ａを、さらに容易に先行して装着することが可能になる。
【００２２】
そして、本実施形態では、袋容器ホルダー１０の張出し係止部１３には、図３（ａ）、（ｂ）及び図４に示すように、Ｕ字状切欠き部１４の周縁部に沿って、張出し係止部１３の上面よりも上方に突出すると共に張出し係止部１３の下面よりも下方に突出する、上下面段差リブ１８が設けられている。上下面段差リブ１８は、Ｕ字状切欠き部１４における、少なくとも注出口部材２２の注出口部２２ａ（袋容器２０の袋側係止部２３が設けられた部分）が押し込まれて収容される奥部収容部１４ａの周縁部に沿って、連続して設けられている。
【００２３】
また、上下面段差リブ１８には、これの内側面の対向する部分から内側に突出して、後述する袋容器２０の注出口部材２２の注出口部２２ａを乗り越えさせることにより注出口部２２ａが奥部収容部１４ａに収容された状態を保持する、乗越え凸部１９が、好ましくは一対設けられている。すなわち、Ｕ字状切欠き部１４における、乗越え凸部１９よりも奥の部分が、袋容器２０の袋側係止部２３が設けられた部分である、注出口部材２２の注出口部２２ａを押し込まれた状態で保持する、奥部収容部１４ａとなっている。
【００２４】
本実施形態では、上下面段差リブ１８は、後述する注出口部材２２の注出口部２２ａに設けられた袋側係止部２３の、上下一対の環状係止ツバ部２３ａの間隔幅と同様の高さを有する、４方の角部が円弧状に面取りされた矩形状の断面形状を備えている（図７参照）。上下面段差リブ１８は、これの高さが張出し係止部１３の他の部分の肉厚よりも大きくなっていることで、矩形状の断面形状の上面が、張出し係止部１３の上面よりも上方に突出して配置されると共に、矩形状の断面形状の下面が、張出し係止部１３の下面より下方に突出して配置される。また上下面段差リブ１８の矩形状の断面形状の内側面は、これの上端部から下端部に亘って上下方向に滑らかに連続する、載置部１１が載置される載置面に対して垂直又は略垂直な、垂直平滑面を形成している。
【００２５】
さらに、本実施形態では、上下面段差リブ１８の奥部収容部１４ａとは反対側の端部に、張出し係止部１３の上面又は下面に向けて斜めに傾斜するスロープ部１８ａが設けられている。上下面段差リブ１８の端部にスロープ部１８ａが設けられていることにより、注出口部材２２の注出口部２２ａを、張出し係止部１３のＵ字状切欠き部１４に係止する際に、注出口部２２ａに設けられた袋側係止部２３を、上下面段差リブ１８にスムーズに乗り上げさせることが可能になる。また、上下面段差リブ１８が、袋側係止部２３の上下一対の環状係止ツバ部２３ａの間隔幅と同様の高さを有していることで、袋容器ホルダー１０に装着された袋容器２０ががたつくのを、効果的に回避することが可能になる。
【００２６】
本実施形態では、袋容器ホルダー１０と組み合わせて用いる袋容器２０は、図１及び図５（ａ）、（ｂ）に示すように、軟質の柔らかいシート材料を用いて形成された袋本体２１と、袋容器２０の上端部に取り付けられた注出口部材２２とを含んで構成されている。袋容器２０の上端部は、袋本体２１の好ましくは天面シート２４ａによる天面部２４によって形成されている。また袋容器２０の上端部には、注出口部材２２を介して、好ましくはポンプディスペンサー３０が吐出具として取り付けられている。
【００２７】
袋本体２１は、例えば、ポリプロピレン樹脂、ポリエチレン樹脂といったポリオレフィン樹脂等からなる合成樹脂製のフィルム材シート、合成樹脂製のフィルムとアルミニウム等の金属との積層体からなるフィルム材シート、或いは合成樹脂製のフィルムにアルミニウム等の金属を蒸着したフィルム材シート等を、軟質の柔らかいシート材料として好ましく用いて形成されている。本実施形態では、公知の各種の方法によって、天面シート２４ａと側面シート２５ａと底面シート２６ａとを接合することによって、天面シート２４ａによる天面部２４と、側面シート２５ａによる側面部２５と、底面シート２６ａによる底面部２６とを含む、有底及び有天の縦長筒状の袋本体２１が形成されている。
【００２８】
なお、袋本体２１は、側面部を構成する正面シートの側部と背面シートの側部との間に２つ折りされた側面シートを挟み込むことによって形成される、ガセット形状等の袋本体であっても良い。また、袋本体２１は、天面シートや底面シートを含むものである必要は必ずしも無く、パウチ形状等の袋本体であっても良い。
【００２９】
袋本体２１の天面シート２４ａによる天面部２４に取り付けられた注出口部材２２は、例えばＰＥ（ポリエチレン）、ＰＰ（ポリプロピレン）等の合成樹脂からなる公知の射出成形品であって、例えば外周面に螺条が形成された円筒形状の注出口部２２ａと、注出口部２２ａの下端から外方に向かって平坦に延出するフランジ部２２ｂ（図６（ｂ）、図７参照）とを有している。注出口部材２２は、注出口部２２ａを、袋本体２１の天面部２４に設けられた貫通孔に挿通させるとともに、天面部２４の下面にフランジ部２２ｂの上面を接合することによって、袋本体２１に取り付けられている。また、注出口部２２ａの外周部分には、外側に円環状に張り出して、袋側係止部２３を構成する環状係止ツバ部２３ａが、上下方向に間隔をおいて一対設けられている。これらの環状係止ツバ部２３ａの間の部分を、袋容器ホルダー１０の張出し係止部１３のＵ字状切欠き部１４の周縁部に沿って設けられた、上下面段差リブ１８に差し込むようにして、注出口部材２２の注出口部２２ａを、張出し係止部１３に係止させることにより、袋容器２０を、袋容器ホルダー１０に装着した状態で安定して保持できるようになっている。
【００３０】
なお、袋側係止部２３は、注出口部材２２の注出口部２２ａの外周部分に直接設けられている必要は必ずしも無い。例えば、注出口部材２２の注出口部２２ａに装着される、後述するポンプディスペンサー３０の固定用キャップ部３１から円環状に張り出して、環状係止ツバ部を設けておき、注出口部２２ａに固定用キャップ部３１を装着することで、当該固定用キャップ部３１介して間接的に、注出口部材２２の注出口部２２ａに袋側係止部２３を設けることもできる。
【００３１】
本実施形態では、袋容器２０の上端部に、ポンプディスペンサー３０が吐出具として取り付けられている。ポンプディスペンサー３０は、例えば、実開平６−３９７５２号公報に記載のポンプ式吐出容器に用いたものと同様の構成を備える公知のものを用いることができる。ポンプディスペンサー３０は、固定用キャップ部３１、ポンプハウジング（図示せず）、吸上げ筒部（図示せず）、ノズルヘッド３３等を備えている。固定用キャップ部３１は、内側面に螺条が形成された円筒状部分を有しており、外周面に螺条が形成された注出口部材２２の注出口部２２ａに螺着することによって、ポンプディスペンサー３０を、注出口部材２２を介して袋容器２０の上端部に取り付けることができるようになっている。
【００３２】
ポンプハウジングは、内部に設けられたポンプ室を拡縮するピストン（図示せず）、ポンプ室と連通可能な吐出通路を備えるステム（図示せず）、ボール弁（図示せず）等を備えており、ポンプハウジングから外部に突出するステムの端部には、ステムの吐出通路に連通するノズル部３３ａを備えたノズルヘッド（押圧操作部）３３が装着されている。ポンプディスペンサー３０による吐出機構では、ノズルヘッド３３を押し下げることにより、ステムが往動してピストンが下降すると、そのピストンによって圧縮されたポンプ室内の内容液が、ステム内の吐出通路を経てノズル部３３ａから吐出される。他方、内容液の吐出後に、バネ等の付勢力等によりステムが復動すると、袋本体２１に収容された内容液が、吸上げ筒部３２を介して、ポンプハウジング内の減圧されたポンプ室に吸い込まれる。このようなノズルヘッド３３への押圧操作を所定回数行うことによって、必要量の内容液を袋本体２１から吸い上げて、ノズル部３３ａから吐出させることが可能になる。
【００３３】
上述の構成を備える袋容器ホルダー１０に、内容液が充填された状態の袋容器２０を装着するには、張出し係止部１３の下方領域における着脱空間部１５の下端部分に、下端部邪魔板部１６が設けられているので、図５（ａ）、（ｂ）に示すように、使用者は、自然な動作として、好ましくは袋容器２０を把持し易い注出口部材２２が取り付けられた上端部分を把持した状態で、袋容器２０を斜めに傾けて、袋容器２０の下端部２０ａを、先行して下端部邪魔板部１６の裏側の下端部装着部１７に装着するように誘導されることになる。
【００３４】
袋容器２０の下端部２０ａを先行して下端部装着部１７に装着するように誘導されて、自然な動作として、当該下端部２０ａを先行して下端部装着部１７に装着したら、使用者は、さらに自然な動作として、装着した下端部２０ａを中心に、傾けた袋容器２０を起こすように回転させる（図５（ｂ）参照）。本実施形態では、好ましくは、袋容器ホルダー１０の載置部１１から張出し係止部１３のＵ字状切欠き部１４までの高さが、袋容器２０の下端から注出口部材２２の袋側係止部２３までの高さと同様の高さとなっているので、下端部装着部１７に下端部２０ａが先行して装着された袋容器２０を起こすように回転させることによって、袋容器２０の注出口部材２２の袋側係止部２３は、袋容器ホルダー１０の張出し係止部１３のＵ字状切欠き部１４と同様の高さ位置に配置されるように案内されることになる。
【００３５】
これによって、袋側係止部２３の一対の環状係止ツバ部２３ａの間の部分を、張出し係止部１３のＵ字状切欠き部１４の縁部に、自然な動作として差し込んで、張出し係止部１３に係止させる操作を、容易に且つスムーズに行なうことが可能になる。好ましくはＵ字状切欠き部１４の縁部に設けられた乗越え凸部１９（図３（ａ）参照）を乗り越えるまで、袋側係止部２３が設けられた注出口部材２２の注出口部２２ａを、張出し係止部１３のＵ字状切欠き部１４の奥まで押し込むことによって、好ましくはカチッというクリック感を伴って、図６（ａ）、（ｂ）に示しように、張出し係止部１３に袋側係止部２３を係止した状態を、安定して保持することが可能になる。またこれによって、張出し係止部１３の下方領域の着脱空間部１５及び下端部装着部１７に、袋本体２１の全体を装着させて、ポンプディスペンサー３０を備える袋容器２０が袋容器ホルダー１０に一体としてセットされた組合せ体を、容易に得ることが可能になる（図１参照）。
【００３６】
そして、上述の構成を備える本実施形態の袋容器ホルダー１０によれば、袋容器２０と組み合わせて用いられて、外周面に注がれて残った水が、袋容器２０の袋側係止部２３が係止される張出し係止部１３のＵ字状切欠き部１４の、袋側係止部２３が設けられた注出口部２２ａとの間の隙間から、内周面に回り込まないようにして、内周面に汚れが生じるのを効果的に抑制することが可能になる。
【００３７】
すなわち、本実施形態の袋容器ホルダー１０によれば、張出し係止部１３には、Ｕ字状切欠き部１４の周縁部に沿って、張出し係止部１３の上面よりも上方に突出すると共に張出し係止部１３の下面よりも下方に突出する、上下面段差リブ１８が設けられており、上下面段差リブ１８は、これの内側面が、当該上下面段差リブ１８の上端部から下端部に亘って上下方向に滑らかに連続する、載置面に対して上下方向に垂直又は略垂直な垂直平滑面となっているので、図７に示すように、外周面に注がれて残った水が、Ｕ字状切欠き部１４の注出口部２２ａとの間の隙間から、袋容器ホルダー１０の内側に侵入しようとするのを、上下面段差リブ１８の、張出し係止部１３の上面よりも上方に突出する部分によって、効果的に阻止することが可能になる。
【００３８】
また、外周面に注がれて残った水が、上下面段差リブ１８を乗り越えて、Ｕ字状切欠き部１４の注出口部２２ａとの間の隙間から、袋容器ホルダー１０の内側に入り込んだとしても、入り込んだ水は、載置面に対して上下方向に垂直又は略垂直な垂直平滑面となっている上下面段差リブ１８の内側面に沿って、滞留することなく下方に向けて勢い良くスムーズに流下してゆくと共に、上下面段差リブ１８の下面が、張出し係止部１３の下面よりも下方に突出しているので、勢い良く流下した水は、張出し係止部１３の下面を乗り越えて袋容器ホルダー１０の内側面に回り込むことなく、下方の例えば袋容器２０の天面シート２４ａによる天面部２４に向けて、落下し易くなる。
【００３９】
これらによって、本実施形態の袋容器ホルダー１０によれば、張出し係止部１３のＵ字状切欠き部１４の、袋側係止部２３を介して係止された注出口部２２ａとの間の隙間から、内周面に水が回り込まないようにして、内周面に汚れが生じるのを効果的に抑制することが可能になる。
【００４０】
なお、本発明は上記実施形態に限定されることなく種々の変更が可能である。例えば、袋容器は、ポンプディスペンサー等の吐出具が取り付けられていて、容器ホルダーに押圧力等を支持させるものである必要は必ずしもなく、袋容器ホルダーを、把持等し易くするための部材として用いる袋容器であっても良い。また、上下面段差リブは、矩形状の断面形状を有している必要は必ずしも無く、例えば図８に示すように、台形状や三角形状等のその他の断面形状を備えていても良い。上下面段差リブの内側面の垂直平滑面は、直線状に平坦な平滑面である必要は必ずしもなく、滑らかに湾曲している平滑面であっても良い。袋側係止部は、袋容器の上端部に取り付けられた注出口部材の注出口部に設けられている必要は必ずしもない。
【符号の説明】
【００４１】
１０  袋容器ホルダー
１１  載置部
１１ａ  開口面
１２  立設部
１２ａ  湾曲立設部
１２ｂ  側部立設部
１２ｃ  湾曲辺部
１３  張出し係止部
１４  Ｕ字状切欠き部
１４ａ  奥部収容部
１４ｂ  開放部
１５  着脱空間部
１６  下端部邪魔板部
１６ａ  上端湾曲辺部
１７  下端部装着部
１８  上下面段差リブ
１８ａ  スロープ部
１９  乗越え凸部
２０  袋容器
２０ａ  下端部
２１  袋本体
２２  注出口部材
２２ａ  注出口部
２２ｂ  フランジ部
２３  袋側係止部
２３ａ  環状係止ツバ部
２４  天面部
２４ａ  天面シート
２５  側面部
２５ａ  側面シート
２６  底面部
２６ａ  底面シート
３０  ポンプディスペンサー
３１  固定用キャップ部
３３  ノズルヘッド
３３ａ  ノズル部
【図１】
2018047927.tif 000003
【図２】
2018047927.tif 000004
【図３】
2018047927.tif 000005
【図４】
2018047927.tif 000006
【図５】
2018047927.tif 000007
【図６】
2018047927.tif 000008
【図７】
2018047927.tif 000009
【図８】
2018047927.tif 000010